(57)【要約】【課題】  所定のフリクッショントルクが安定して得られるヒンジを提供すること【解決手段】  シャフト１０１の軸部１１０に凸部を設け、  第一の摩擦用ワッシャー１０４及び第二の摩擦用ワッシャー１０６の貫通孔のない周面に、凸部１１３に咬み合う凹部１２０を形成しておくことで、シャフト１０１の回動と共に確実に第一の摩擦用ワッシャー１０４及び第二の摩擦用ワッシャー１０６も回動し、安定してフリクッショントルクを得ることができるヒンジ１００を提供する。【選択図】    図１
2005060999.tif 000002
【特許請求の範囲】
【請求項１】
一端側に設けられている軸部と、他端側に設けられており第一の部材に取り付ける取付部と、前記軸部と前記取付部との間に設けられている鍔部と、が長さ方向において連続して形成されたシャフトと、
前記軸部を挿入する軸用貫通孔を有する壁体部と、第二の部材に取り付ける取付部と、を有する支持部材と、を備え、
前記軸部を前記軸用貫通孔に挿入し、前記一端側から前記軸部に少なくとも一つの摩擦用ワッシャーと、少なくとも一つのスプリングワッシャーと、を挿入し、前記スプリングワッシャーが前記摩擦用ワッシャーを前記壁体部の方向に付勢するように固定することで、前記第一の部材と前記第二の部材とを回動自在に連結するとともに、前記第一の部材と前記第二の部材とを回動する際にフリクッショントルクが発生するようにしたヒンジであって、
前記摩擦用ワッシャーの貫通孔の内周面には、少なくとも一つの凹部が形成されており、
前記軸部の外周面には、前記摩擦用ワッシャーを挿入した際に前記凹部に咬み合う凸部が設けられていることを特徴とするヒンジ。
【請求項２】
前記凸部は、前記軸部の軸線と平行となり、かつ、前記軸部の長さ方向に延びるように形成されていることを特徴とする請求項１に記載のヒンジ。
【請求項３】
前記凸部は、前記軸部の周方向において等間隔に複数設けられていることを特徴とする請求項１又は２に記載のヒンジ。
【請求項４】
前記摩擦用ワッシャーと前記壁体部との間、または、前記摩擦用ワッシャーと前記スプリングワッシャーとの間、の少なくとも何れか一方の間には、固定ワッシャーが挿入されており、
前記固定ワッシャーの貫通孔の半径は、前記軸部材の軸線から外周までの最大半径よりも大きくされており、かつ、前記固定ワッシャーには、前記壁体部に引っかかり、前記固定ワッシャーの回動を抑止する抑止部材が形成されていることを特徴とする請求項１乃至３の何れか一項に記載のヒンジ。
【請求項５】
前記壁体部は、壁体部本体に摩擦体を嵌合することにより形成されており、
前記軸用貫通孔は、前記摩擦体に形成されており、
前記軸部と前記鍔部との間には、縦断面が円形の円周部が設けられていることで、前記摩擦体と前記円周部との間でフリクッショントルクが発生するようにしたことを特徴とする請求項１乃至４の何れか一項に記載のヒンジ。
【請求項６】
前記摩擦体は、第一の摩擦体と第二の摩擦体とにより形成されており、前記壁体部本体の一方側から第一の摩擦体を嵌合し、前記壁体部本体の他方側から第二の摩擦体を嵌合し、前記壁体部本体の内部において前記第一の摩擦体と前記第二の摩擦体とが連接するようにされていることを特徴とする請求項５に記載のヒンジ。
【請求項７】
前記壁体部本体はダイカストであり、前記摩擦体は焼結材であることを特徴とする請求項５又は６に記載のヒンジ。
【請求項８】
前記凸部と前記凹部との間には、前記軸線の回動方向において隙間が設けられていることを特徴とする請求項１乃至７の何れか一項に記載のヒンジ。
【請求項９】
前記第一の部材はディスプレイ本体であり、前記第二の部材はキーボード本体であり、請求項１乃至８の何れか一項に記載のヒンジにより回動自在に連結されていることを特徴とするパーソナルコンピュータ。
【請求項１０】
前記第一の部材はディスプレイ本体であり、前記第二の部材はＤＶＤ本体であり、請求項１乃至８の何れか一項に記載のヒンジにより回動自在に連結されていることを特徴とするディスプレイ付属型ＤＶＤプレーヤー。
【請求項１１】
前記第一の部材はディスプレイ本体であり、前記第二の部材は携帯用情報端末本体であり、請求項１乃至８の何れか一項に記載のヒンジにより回動自在に連結されていることを特徴とする折り畳み式携帯用情報端末。
【発明の詳細な説明】
【技術分野】
【０００１】
本発明は、ヒンジに関する。
【背景技術】
【０００２】
従来のヒンジとしては、特許文献１に記載されたものがあった。
【０００３】
図８に表されているように、特許文献１に記載されたＯＡ機器用チルトヒンジ５００は、第一の部材５１０に取り付ける取付ベース５０１に対して、第二の部材５１１に取り付ける回転シャフト５０２を回動自在に連結することにより形成されており、回転シャフト５０２は、一端５０２ａから小径部５０２ｂと大径部５０２ｃとが連続して形成され、この小径部５０２ｂを取付ベース５０１に設けられている貫通孔５０１ａに挿入して、取付ベース５０１と一端５０２ａとの間に、フリースローワッシャー５０３と、摩擦板５０４と、二つのスプリングワッシャー５０５と、を介在させて、一端５０２ａをカシメることにより、回転シャフト５０２と取付ベース５０１とを回動自在にするとともに、所定のフリクッショントルクが発生するようにしていた。
【特許文献１】特開平７−３２４５５２号公報
【発明の開示】
【発明が解決しようとする課題】
【０００４】
しかしながら、従来のＯＡ機器用チルトヒンジ５００では、フリースローワッシャー５０３及び摩擦板５０４が回転シャフト５０２に対して回動自在にされているため、回転シャフト５０２を回動させた際に、フリースローワッシャー５０３と摩擦板５０４とが共に回動せず、所定のフリクッショントルクが得られない場合があった。
【０００５】
そこで、本発明は、所定のフリクッショントルクが安定して得られるヒンジを提供することを目的とする。
【課題を解決するための手段】
【０００６】
以上の課題を解決するため、本発明は、一端側に設けられている軸部と、他端側に設けられており第一の部材に取り付ける取付部と、前記軸部と前記取付部との間に設けられている鍔部と、が長さ方向において連続して形成されたシャフトと、前記軸部を挿入する軸用貫通孔を有する壁体部と、第二の部材に取り付ける取付部と、を有する支持部材と、を備え、前記軸部を前記軸用貫通孔に挿入し、前記一端側から前記軸部に少なくとも一つの摩擦用ワッシャーと、少なくとも一つのスプリングワッシャーと、を挿入し、前記スプリングワッシャーが前記摩擦用ワッシャーを前記壁体部の方向に付勢するように固定することで、前記第一の部材と前記第二の部材とを回動自在に連結するとともに、前記第一の部材と前記第二の部材とを回動する際にフリクッショントルクが発生するようにしたヒンジであって、前記摩擦用ワッシャーの貫通孔の内周面には、少なくとも一つの凹部が形成されており、前記軸部の外周面には、前記摩擦用ワッシャーを挿入した際に前記凹部に咬み合う凸部が設けられていることを特徴とするヒンジを提供する。
【０００７】
このように、摩擦用ワッシャーに設けられている凹部と軸部に設けられている凸部とが咬み合うことにより、摩擦用ワッシャーがシャフトと共に確実に回動するため、所望のフリクッショントルクが安定して得られるようになる。
【０００８】
この凸部については、軸部の軸線と平行となり、かつ、軸部の長さ方向に延びるように形成することが望ましく、また、軸部の周方向において等間隔に複数設けることが望ましい。
【０００９】
また、摩擦用ワッシャーと壁体部との間、または、摩擦用ワッシャーとスプリングワッシャーとの間、の少なくとも何れか一方の間に、固定ワッシャーを挿入し、この固定ワッシャーは、その貫通孔の半径が軸部材の軸線から外周までの最大半径よりも大きくなるようにし、かつ、この固定ワッシャーには、壁体部に引っかかり、この固定ワッシャーの回動を抑止する抑止部材を形成しておくことにより、この固定ワッシャーと摩擦用ワッシャーとの間で所望のフリクッショントルクが発生するようにすることができる。
【００１０】
さらに、壁体部本体に摩擦体を嵌合することにより壁体部を形成し、壁体部に形成する貫通孔を摩擦体に形成しておき、さらに、軸部と鍔部との間には、縦断面が円形の円周部を設けられておくことで、これらの摩擦体と円周部との間でフリクッショントルクが発生するようにすることもできる。
【００１１】
なお、摩擦体は、壁体部本体に嵌合することができるものであればどのようなものであってもよいが、例えば、摩擦体を、第一の摩擦体と第二の摩擦体とにより形成し、壁体部本体の一方側から第一の摩擦体を嵌合し、壁体部本体の他方側から第二の摩擦体を嵌合し、壁体部本体の内部において第一の摩擦体と第二の摩擦体とが連接するようにすることができる。
【００１２】
また、壁体部本体はダイカストにより形成し、摩擦体は焼結材により形成することができる。
【００１３】
なお、凸部と凹部との間には、軸線の回動方向において隙間を設けておくことにより、第一の本体又は第二の本体が振動した場合に、この隙間により振動が吸収されるようになる。
【００１４】
なお、第一の部材はディスプレイ本体、第二の部材はキーボード本体として、以上に記載したヒンジにより、パーソナルコンピュータのディスプレイ本体とキーボード本体とを回動自在に連結することができる。
【００１５】
また、第一の部材はディスプレイ本体、第二の部材はＤＶＤ本体として、以上に記載したヒンジにより、ディスプレイ付属型ＤＶＤプレーヤーのディスプレイ本体とＤＶＤ本体とを回動自在に連結することも可能である。
【００１６】
さらに、第一の部材はディスプレイ本体であり、第二の部材は携帯用情報端末本体として、以上に記載したヒンジにより、折り畳み式携帯用情報端末のディスプレイ本体と携帯用情報端末本体とを回動自在に連結することも可能である。
【発明の効果】
【００１７】
以上のように、本発明によれば、シャフトの回動と共に摩擦用ワッシャーも回動するため、所定のフリクッショントルクが安定して得られるヒンジを提供することができる。
【発明を実施するための最良の形態】
【００１８】
図１は、本発明の第一の実施形態に係るヒンジ１００の分解斜視図である。
【００１９】
ヒンジ１００は、シャフト１０１と、緩衝用ワッシャー１０２と、支持部材１０３と、第一の摩擦用ワッシャー１０４と、固定ワッシャー１０５と、第二の摩擦用ワッシャー１０６と、二つのスプリングワッシャー１０７と、押さえワッシャー１０８と、により構成されている。
【００２０】
シャフト１０１は、ＳＵＳ３０３により形成されており、一端側に設けられている軸部１１０と、他端側に設けられている取付部１１１と、これらの軸部１１０と取付部１１１との間に設けられている鍔部１１２と、が長さ方向において連続して形成されている。
【００２１】
軸部１１０の外周面には、図２（第一の摩擦用ワッシャー１１４の軸部１１０への挿入例を表す正面図）に表されているように、後述する第一の摩擦用ワッシャー１０４に設けられている凹部１２０に咬み合う凸部１１３が設けられている。
【００２２】
この凸部１１３は、軸部１１０の軸線と平行となり、かつ、軸部１１０の長さ方向に延びるように形成されている。
【００２３】
また、凸部１１３同士は相互に平行となり、かつ、軸部１１０の周方向において等間隔に形成されている。
【００２４】
なお、凸部１１３の形状については、後述する第一の摩擦用ワッシャー１０４に設けられている凹部１２０に咬み合うような形状であればどのような形状であってもよいが、本実施形態においては、凸部１１３の頂点から根本に向かって徐々に幅が広くなるような三角状に形成されている。
【００２５】
また、凸部１１３の数は、少なくとも一つ以上あれば足りるが、本実施形態では、１８個の凸部１１３を形成している。
【００２６】
取付部１１１は、平板状に形成されており、その厚さ方向に貫通するネジ用貫通孔１１４が二つ形成されている。
【００２７】
そして、図４（ヒンジ１００の使用状態を表す正面図）に表されているように、平板状に形成されている取付部１１１の一方の面１１１ａに第一の部材としてのディスプレイ本体１３０を接触させ、他方の面１１１ｂ側からネジ用貫通孔１１４を介してネジ１３２をディスプレイ本体１３０にネジ込むことにより、シャフト１０１は、ディスプレイ本体１３０に固定することができるようにしている。
【００２８】
鍔部１１２は、その外周面１１２ａが、軸部１１０の外周よりも外側に位置するように形成することにより、軸部１１０を後述する支持部材１０３に設けられている軸用貫通孔１１６に挿入した際に、支持部材１０３の側面１０３ａに引っかかり、シャフト１０１が軸用貫通孔１１６を貫通してしまうことのないようにしている。
【００２９】
緩衝用ワッシャー１０２はＳＵＳ３０４により環状に形成されており、緩衝用ワッシャー１０２の貫通孔の内周面にも、後述する第一の摩擦用ワッシャー１０４と同様の凹部１１５が形成されているため、軸部１１０に形成されている凸部１１３に咬み合うことで、シャフト１０１の回動と共に緩衝用ワッシャー１０２も回動するようにされている。
【００３０】
なお、緩衝用ワッシャー１０２は、シャフト１０１の鍔部１１２と後述する支持部材１０３との間に挟み込まれることにより、鍔部１１２と支持部材１０３とが直接接触し、これらの部材が摩耗してしまうことを防止している。
【００３１】
支持部材１０３は、亜鉛のダイキャストにより形成されており、壁体部１１８と、取付部１１９と、から構成されている。
【００３２】
壁体部１１８には、その厚さ方向に貫通する軸用貫通孔１１６が形成されている。
【００３３】
軸用貫通孔１１６は、円筒状に形成されており、その半径は、シャフト１０１の軸部１１３の最大半径よりも大きくなるように形成することで、軸部１１３を回動させる際に軸用貫通孔１１６は一切干渉せず、シャフト１０１は支持部材１０３に対して自由に回動させることができるようにされている。
【００３４】
取付部１１９は、壁体部１１８の下端から、壁体部１１８に対して垂直方向に延びるように形成されており、図示してはいないが、その厚さ方向にネジ用貫通孔を形成することにより、図４に表されているように、取付部１１９の下面１１９ａをキーボード本体１３１に接触させて、取付部１１９の上面１１９ｂ側から、このネジ用貫通孔を介してネジ１３２をキーボード本体１３１にネジ込むことにより、支持部材１０３をキーボード本体１３１に固定することができるようにしている。
【００３５】
第一の摩擦用ワッシャー１１４は、ＳＵＳ３０４により環状に形成されており、その貫通孔の内周面には、図２に表されているように、軸部１１０に形成されている凸部１１３に咬み合う凹部１２０が形成されている。
【００３６】
凹部１２０については、凸部１１３に咬み合うものであればどのような形状のものであってもよく、また、本実施形態においては、一つの凹部１２０の中に二つの凸部１１３を挿入するようにしているが、これに限定されるわけではない。
【００３７】
図３（凸部１１３と凹部１２０の拡大正面図）に表されているように、凸部１１３と凹部１２０との間には、軸部１１０の回動方向において隙間Ｘが設けられていることで、ディスプレイ本体１３０とキーボード本体１３１とを連結した際に、キーボード本体１３１の振動が、この隙間Ｘにより吸収され、ディスプレイ本体１３０に振動が伝わるのを防止することができるようにされている。
【００３８】
なお、隙間Ｘの大きさは、このような目的を果たすことができる範囲で適時選択することができる設計事項であるが、本実施形態においては、０．００５ｍｍ〜０．０２ｍｍの間隔が空くようにしている。
【００３９】
固定ワッシャー１０５は、ＳＵＳ３０４により環状に形成されており、貫通孔１２１の半径は、軸用貫通孔１１６と同様に、シャフト１０１の軸部１１３の最大半径よりも大きくなるように形成しているため、軸部１１３を回動させる際に貫通孔１２１は一切干渉せず、シャフト１０１は固定ワッシャー１０５に対して自由に回動させることができるようにされている。
【００４０】
固定ワッシャー１０５の側方１０５ａ、１０５ｂには、相対向する二つの抑止部材１２２が、固定ワッシャー１０５の表面１０５ｃに対して垂直方向に突き出すように形成されており、固定ワッシャー１０５の貫通孔１２１と支持部材１０３の貫通孔１１６とを同心にした状態で、支持部材１０３を二つの抑止部材１２２の間に挟み込むことができるようにされている。
【００４１】
したがって、シャフト１０１の軸部１１０を支持部材１０３の貫通孔１１６に挿入し、シャフト１０１の反対側から軸部１１０に固定ワッシャー１０５を挿入し、二つの抑止部材１２２の間に支持部材１０３を挟み込むことにより、固定ワッシャー１０５は支持部材１０３に固定され、シャフト１０１の回動と共に回動してしまうことがなくなる。
【００４２】
第二の摩擦用ワッシャー１０６は、第一の摩擦用ワッシャー１０４と同様に形成されているため、説明を省略する。
【００４３】
スプリングワッシャー１０７は、バネ鋼により環状に形成されており、内周部１０７ａと外周部１０７ｂとの位置が、貫通孔１２３の軸線方向にずれており、この内周部１０７ａから外周部１０７ｂにかけてテーパーが付けられていることから、スプリングワッシャー１０７を軸線方向に弾性変形させることにより、軸線方向に対して付勢力が働くようになる。
【００４４】
なお、スプリングワッシャー１０７の貫通孔１２３の半径についても、軸用貫通孔１１６と同様に、シャフト１０１の軸部１１３の最大半径よりも大きくなるように形成しているため、軸部１１３を回動させる際に貫通孔１２３は一切干渉せず、シャフト１０１はスプリングワッシャー１０７に対して自由に回動させることができるようにされている。
【００４５】
また、このスプリングワッシャー１０７の数については必要な付勢力を得られる範囲において適時選択することができる設計事項であるが、本実施形態においては、二つのスプリングワッシャー１０７を使用することにより必要な付勢力を確保するようにしている。
【００４６】
押さえワッシャー１０８は、ＳＵＳ３０４により環状に形成されている。
【００４７】
なお、押さえワッシャー１０８は、スプリングワッシャー１０７を均一に押さえるために使用されるものであり、必ず必要とされるものではない。
【００４８】
以上のように構成されるヒンジ１００は、図４（ヒンジ１００の使用例を表す一部断面図）に表されているように、シャフト１０１の鍔部１１２と支持部材１０３との間に緩衝用ワッシャー１０２を挿入した状態で、シャフト１０１の軸部１１０を支持部材１０３の軸用貫通孔１１６に挿入した後、軸部１１０の端部１１０ａから第一の摩擦用ワッシャー１０４、固定ワッシャー１０５、第二の摩擦用ワッシャー１０６、二つのスプリングワッシャー１０７及び押さえワッシャー１０８をこの順番で軸部１１０に挿入していき、二つのスプリングワッシャー１０７が軸線方向に弾性変形するように軸部１１０の端部１１０ａをカシメることで、シャフト１０１にネジ１３２で固定されているディスプレイ本体１３０と、支持部材１０３にネジ１３２で固定されているキーボード本体１３１と、を回動自在に連結することができ、かつ、所定のフリクッショントルクを得ることができるようになる。
【００４９】
また、シャフト１０１を支持部材１０３に対して回動した際、第一の摩擦用ワッシャー１０４と第二の摩擦用ワッシャー１０６とは、シャフト１０１の回動に伴って回動するが、固定ワッシャー１０５は、支持部材１０３に固定されているため、第一の摩擦用ワッシャー１０４及び第二の摩擦用ワッシャー１０６と支持部材１０３及び固定ワッシャー１０５との間で、安定してフリクッショントルクが発生するようになる。
【００５０】
図５は、本発明の第二の実施形態に係るヒンジ２００の一部断面図である。
【００５１】
ヒンジ２００は、シャフト２０１と、支持部材２０３と、第一の摩擦用ワッシャー１０４と、固定ワッシャー１０５と、第二の摩擦用ワッシャー１０６と、二つのスプリングワッシャー１０７と、押さえワッシャー１０８と、により構成されており、第一の実施形態に係るヒンジ１００と比較して、シャフト２０１と支持部材２０３のみが異なっているため、以下、シャフト２０１及び支持部材２０３のみについて説明する。
【００５２】
なお、本実施形態においては、第一の実施形態に係るヒンジ１００で使用されている緩衝用ワッシャー１０２が使用されていないが、これは単に使用を省略しているのみであるため、説明を省略する。
【００５３】
本実施形態におけるシャフト２０１は、図６（シャフト２０１の平面図）に表されているように、第一の実施形態におけるシャフト１０１と同様に、ＳＵＳ３０３により形成されており、一端側に設けられている軸部１１０と、他端側に設けられている取付部２１１と、これらの軸部１１０と取付部２１１との間に設けられている鍔部１１２と、鍔部１１２と軸部１１０との間に設けられている円周部２４０が長さ方向において連続して形成されている。
【００５４】
ここで、軸部１１０と鍔部１１２については、第一の実施形態におけるシャフト１０１と同様に形成されているため、説明を省略する。
【００５５】
第一の実施形態におけるシャフト１０１は、ネジ１３２を用いてディスプレイ本体１３０に固定するようにされていたが、本実施形態においては、取付部２１０を嵌合用凸部２１１ａとフランジ部２１１ｂとにより構成し、嵌合用凸部２１１ａをディスプレイ本体２３０に形成されている嵌合用凹部２４１に嵌合することにより、シャフト２０１とディスプレイ本体２３０とを固定することができるようにしている。
【００５６】
本実施形態におけるシャフト２０１には、鍔部１１２と軸部１１０との間に円周部２４０が設けられている。
【００５７】
円周部２４０は、縦断面が円形となるように形成されており、後述する第一の摩擦体２４３及び第二の摩擦体２４４に設けられている第一の軸用貫通孔２４６の内周面２４６ａ及び第二の軸用貫通孔２４７の内周面２４７ａと密着し、これらの内周面２４６ａ、２４６ｂとの間でフリクッショントルクが発生するようにしている。
【００５８】
図７に表されているように、本実施形態における支持部材２０３は、壁体部２１８と、取付部２１９と、により構成されている。
【００５９】
壁体部２１８は、壁体部本体２４２にその一方側から第一の摩擦体２４３を嵌合させ、また、その他方側から第二の摩擦体２４４を嵌合させることにより形成されている。
【００６０】
壁体部本体２４２には、その厚さ方向に貫通する摩擦体用貫通孔２４５が形成されている。
【００６１】
摩擦体用貫通孔２４５については、嵌合させる第一の摩擦体２４３及び第二の摩擦体２４４がシャフト２０１を回動させた際に、シャフト２０１の回動と共に回動してしまわないため、円形以外の形状に形成する必要があるが、本実施形態においては、六角形に形成している。
【００６２】
第一の摩擦体２４３は、第一の摩擦体本体部２４３ａと第一の支持部材嵌合用部２４３ｂとにより形成されており、第一の摩擦体本体部２４３ａと第一の支持部材嵌合用部２４３ｂとを貫通するように、第一の軸用貫通孔２４６が形成されている。
【００６３】
ここで、第一の支持部材嵌合用部２４３ｂは、六角形に形成されている摩擦体用貫通孔２４５に嵌合させることができるように、縦断面が六角形になるように形成されている。
【００６４】
第二の摩擦体２４４は、第二の摩擦体本体部２４４ａと第二の支持部材嵌合用部２４４ｂとにより形成されており、第二の摩擦体本体部２４４ａと第二の支持部材嵌合用部２４４ｂとを貫通するように、第二の軸用貫通孔２４７が形成されている。
【００６５】
ここで、第二の支持部材嵌合用部２４３ｂは、六角形に形成されている摩擦体用貫通孔２４５に嵌合させることができるように、縦断面が六角形になるように形成されている。
【００６６】
また、第二の摩擦体２４４の側方には、固定ワッシャー１０５に設けられている抑止部材１２２を嵌合することができる抑止部材用凹部２４８を二つ設けているため、固定ワッシャー１０５に設けられている抑止部材１２２を抑止部材用凹部２４８に嵌め込むことにより、固定ワッシャー１０５は第二の摩擦体２４４に固定され、シャフト２０１の回動と共に回動してしまうことがなくなる。
【００６７】
なお、第一の摩擦体２４３と第二の摩擦体２４４とは、壁体部本体２４２に嵌合させた際に、第一の支持部材嵌合用部２４３ｂと第二の支持部材嵌合用部２４４ｂとが連接し、かつ、これらに設けられている第一の軸用貫通孔２４６と第二の軸用貫通孔２４７とが同心となって連通するようにしている。
【００６８】
また、第一の軸用貫通孔２４６及び第二の軸用貫通孔２４７の大きさは、シャフト２０１に設けられている円周部２４０を挿入した際に、これらの内周面２４６ａ、２４７ａが円周部２４０と密着するような大きさに形成する。
【００６９】
取付部２１９は、第一の実施形態と異なり、取付部２１９の下面２１９ａの下面をキーボード本体２３１に接着することにより、キーボード本体２３１に固定することができるようにしている。
【００７０】
なお、壁体部本体２４２及び取付部２１９については、亜鉛のダイキャストにより形成し、第一の摩擦体２４３及び第二の摩擦体２４４については、ＳＵＳ３０４を焼結した焼結材を使用することにより、経年による摩耗を少なくすることができる。
【００７１】
以上のように構成されるヒンジ２００は、図５に表されているように、壁体部本体２４２に第一の摩擦体２４３及び第二の摩擦体２４４を嵌合させて支持部材２０３とし、シャフト２０１の軸部１１０を支持部材２０３の第一の軸用貫通孔２４６及び第二の軸用貫通孔２４７に挿入した後、軸部１１０の端部１１０ａから第一の摩擦用ワッシャー１０４、固定ワッシャー１０５、第二の摩擦用ワッシャー１０６、二つのスプリングワッシャー１０７及び押さえワッシャー１０８をこの順番で軸部１１０に挿入していき、二つのスプリングワッシャー１０７が軸線方向に弾性変形するように軸部１１０の端部１１０ａをカシメることで、シャフト２０１に形成されている嵌合用凸部２１１ａをディスプレイ本体２３０に形成されている嵌合用凹部２４１に嵌合することによりシャフト２０１に固定されているディスプレイ本体２３０と、支持部材２０３に接着されることにより固定されているキーボード本体２３１と、を回動自在に連結することができ、かつ、所定のフリクッショントルクを得ることができるようになる。
【００７２】
また、シャフト２０１を支持部材２０３に対して回動した際、第一の摩擦用ワッシャー１０４と第二の摩擦用ワッシャー１０６とは、シャフト２０１の回動に伴って回動するが、固定ワッシャー１０５は、支持部材２０３に固定されているため、第一の摩擦用ワッシャー１０４及び第二の摩擦用ワッシャー１０６と支持部材１０３及び固定ワッシャー１０５との間で、安定してフリクッショントルクが発生するようになる。
【００７３】
さらに、本実施形態では、シャフト２０１の円周部２４０と第一の摩擦体２４３及び第二の摩擦体２４４との間でもフリクッショントルクが発生するようにしているため、より安定したフリクッショントルクを発生させることができるようになる。
【００７４】
以上に記載した実施形態においては、第一の摩擦体２４３及び第二の摩擦体２４４を壁体部本体２４２に嵌合させることにより支持部材２０３としたが、このような形態に限られるわけではなく、単一形状の摩擦体を壁体部本体２４２に設けられている摩擦体用貫通孔２４５に嵌合することも可能である。
【００７５】
また、以上に記載した実施形態に係るヒンジ１００、２００では、各種部材の材質を特定しているが、このような材質に限られるわけではなく、各種部材の機能・役割に応じて適時変更することができる。
【００７６】
さらに、以上に記載した実施形態に係るヒンジ１００、２００では、第一の摩擦用ワッシャー１０４と第二の摩擦用ワッシャー１０６とを用いたが、何れか一方さえあれば、必要なフリクッショントルクを得ることができる。
【００７７】
加えて、以上に記載した実施形態に係るヒンジ１００、２００は、ノート型パーソナルコンピュータのディスプレイ本体１３０、２０３とキーボード本体１３１、２３１とを回動自在に連結するものとして記載したが、このヒンジ１００、２００によって、ディスプレイ付属型ＤＶＤプレーヤーのディスプレイ本体とＤＶＤ本体とを回動自在に連結することも可能である。
【００７８】
また、以上に記載した実施形態に係るヒンジ１００、２００は、ノート型パーソナルコンピュータのディスプレイ本体１３０、２０３とキーボード本体１３１、２３１とを回動自在に連結するものとして記載したが、このヒンジ１００、２００によって、折り畳み式携帯用情報端末（例えば、折り畳み式の携帯電話や折り畳み式のＰＤＡ《Ｐｅｒｓｏｎａｌ  Ｄｉｇｉｔａｌ  Ａｓｓｉｓｔａｎｔ》）のディスプレイ本体と携帯用情報端末本体とを回動自在に連結することも可能である。
【００７９】
なお、本実施形態に係るヒンジ１００、２００は、ヒンジ１００、２００単独で提供することも可能であるが、ノート型パーソナルコンピュータ、ディスプレイ付属型ＤＶＤプレーヤー又は折り畳み式携帯用情報端末の一部として提供することも可能である。
【図面の簡単な説明】
【００８０】
【図１】第一の実施形態に係るヒンジ１００の分解斜視図。
【図２】第一の摩擦用ワッシャー１１４の軸部１１０への挿入例を表す正面図。
【図３】凸部１１３と凹部１２０の拡大正面図。
【図４】ヒンジ１００の使用状態を表す正面図。
【図５】第二の実施形態に係るヒンジ２００の一部断面図。
【図６】シャフト２０１の平面図。
【図７】支持部材２０３の分解斜視図
【図８】従来のＯＡ機器用チルトヒンジ５００の縦断面図。
【符号の説明】
【００８１】
１００、２００  ヒンジ
１０１、２０１  シャフト
１０３、２０３  支持部材
１０４  第一の摩擦用ワッシャー
１０５  固定ワッシャー
１０６  第二の摩擦用ワッシャー
１０７  スプリングワッシャー
１１０  軸部
１１１  取付部
１１２  鍔部
１１３  凸部
１１６  軸用貫通孔
１１８  壁体部
１１９、２１９  取付部
１２０  凹部
１２２  抑止部材
１３０、２３０  ディスプレイ本体
１３１、２３１  キーボード本体
２４０  円周部
２４２  壁体部本体
２４３  第一の摩擦体
２４４  第二の摩擦体
【図１】
2005060999.tif 000003
【図２】
2005060999.tif 000004
【図３】
2005060999.tif 000005
【図４】
2005060999.tif 000006
【図５】
2005060999.tif 000007
【図６】
2005060999.tif 000008
【図７】
2005060999.tif 000009
【図８】
2005060999.tif 000010